(57)【特許請求の範囲】
【請求項１】
カードに記録された磁気データの読取および／または前記カードへの磁気データの記録を行う磁気ヘッドを内部に備えるカードリーダにおいて、
前記カードが挿入される挿入口が形成されるとともに前記カードリーダの前記カードの抜取り方向端に配置されるゲート機構を備え、
前記ゲート機構には、前記カードの挿入方向に向かって切り欠かれた切欠部が形成され、
前記切欠部は、前記カードの挿入方向に略直交する前記カードの幅方向において、前記磁気ヘッドの配置位置と略同じ位置に形成され、
前記ゲート機構は、前記切欠部または前記切欠部の近傍に異物が取り付けられたことを検出するための異物検出機構を備えることを特徴とするカードリーダ。
【請求項２】
前記ゲート機構には、前記カードの抜取り方向に向かって突出する２個の突出部が前記カードの幅方向において間隔をあけた状態で形成され、
前記切欠部は、２個の前記突出部の間に形成されるとともに前記カードの挿入方向に向かって窪む凹部であることを特徴とする請求項１記載のカードリーダ。
【請求項３】
前記ゲート機構の外形は、前記カードの抜取り方向に向かって膨らむ略半円柱形状に形成されていることを特徴とする請求項２記載のカードリーダ。
【請求項４】
前記異物検出機構は、発光素子と前記発光素子からの光を受光する受光素子とを備える光学式の検出機構であり、
前記発光素子は、２個の前記突出部のうちの一方の前記突出部の内部に配置され、前記受光素子は、２個の前記突出部のうちの他方の前記突出部の内部に配置されていることを特徴とする請求項２または３記載のカードリーダ。
【請求項５】
前記突出部は、不透明な材料で形成されていることを特徴とする請求項４記載のカードリーダ。
【請求項６】
前記ゲート機構は、前記凹部の側面を光らせるための発光機構を備えることを特徴とする請求項２から５のいずれかに記載のカードリーダ。
【請求項７】
前記ゲート機構は、前記挿入口を閉鎖するためのシャッタ機構を備え、
前記異物検出機構で異物が検出されると前記シャッタ機構が前記挿入口を閉鎖することを特徴とする請求項１から６のいずれかに記載のカードリーダ。
【発明の詳細な説明】
【技術分野】
【０００１】
本発明は、カードに記録された磁気データの読取および／またはカードへの磁気データの記録を行うカードリーダに関する。
【背景技術】
【０００２】
従来、カードを内部に取り込んで磁気データの読取や記録を行うカードリーダが広く利用されている。また、カードリーダが利用される業界においては、従来、犯罪者がカードリーダのカード挿入部に磁気ヘッドを取り付けて、この磁気ヘッドでカードの磁気データを不正に取得するいわゆるスキミングが大きな問題となっている。
【０００３】
そこで、このスキミングを防止するための構成を備えるカードリーダが提案されている（たとえば、特許文献１参照）。特許文献１に記載のカードリーダでは、カードが挿入および排出されるカード挿入部の、挿入されるカードの磁気ストライプに対応する位置に、カードの排出方向に向かって突出する突出部が形成されている。そのため、このカードリーダでは、カード挿入部の、挿入されるカードの磁気ストライプに対応する位置に、スキミングを行うためのスキミング用の磁気ヘッドを犯罪者が取り付けることが困難になる。したがって、このカードリーダでは、スキミングを防止することが可能になる。
【先行技術文献】
【特許文献】
【０００４】
【特許文献１】特開２００１−６７５１４号公報
【発明の概要】
【発明が解決しようとする課題】
【０００５】
しかしながら、特許文献１に記載のカードリーダでは、カード挿入部の、挿入されるカードの磁気ストライプに対応する位置にスキミング用の磁気ヘッドを犯罪者が取り付けるのを確実に防止することは困難である。その結果、このカードリーダでは、スキミングを効果的に防止することは困難である。
【０００６】
そこで、本発明の課題は、スキミングを効果的に防止することが可能なカードリーダを提供することにある。
【課題を解決するための手段】
【０００７】
上記の課題を解決するため、本発明のカードリーダは、カードに記録された磁気データの読取および／またはカードへの磁気データの記録を行う磁気ヘッドを内部に備えるカードリーダにおいて、カードが挿入される挿入口が形成されるとともにカードリーダのカードの抜取り方向端に配置されるゲート機構を備え、ゲート機構には、カードの挿入方向に向かって切り欠かれた切欠部が形成され、切欠部は、カードの挿入方向に略直交するカードの幅方向において、磁気ヘッドの配置位置と略同じ位置に形成され、ゲート機構は、切欠部または切欠部の近傍に異物が取り付けられたことを検出するための異物検出機構を備えることを特徴とする。
【０００８】
本発明のカードリーダでは、ゲート機構に、カードの挿入方向に向かって切り欠かれた切欠部が形成され、この切欠部は、カードの挿入方向に略直交するカードの幅方向において、磁気ヘッドの配置位置と略同じ位置に形成されている。そのため、犯罪者は、この切欠部にスキミング用の磁気ヘッドを取り付けやすくなる。一方で、本発明では、ゲート機構は、切欠部または切欠部の近傍に異物が取り付けられたことを検出するための異物検出機構を備えているため、スキミング用の磁気ヘッドを取り付けやすい切欠部にこの磁気ヘッドが取り付けられると、異物検出機構によって、この磁気ヘッドが検出される。このように、本発明では、スキミング用の磁気ヘッドの取付位置が特定しやすくなり、かつ、特定された取付位置にスキミング用の磁気ヘッドが取り付けられると、この磁気ヘッドが異物検出機構で検出される。そのため、本発明では、ゲート機構にスキミング用の磁気ヘッドが取り付けられたことを検出しやすくなる。したがって、本発明では、切欠部にスキミング用の磁気ヘッドが取り付けられた際に所定の処理を行うことで、スキミングを効果的に防止することが可能になる。
【０００９】
本発明において、ゲート機構には、カードの抜取り方向に向かって突出する２個の突出部がカードの幅方向において間隔をあけた状態で形成され、切欠部は、２個の突出部の間に形成されるとともにカードの挿入方向に向かって窪む凹部であることが好ましい。この場合には、ゲート機構の外形は、カードの抜取り方向に向かって膨らむ略半円柱形状に形成されていることが好ましい。このように構成すると、犯罪者は、凹部以外の箇所にスキミング用の磁気ヘッドを取り付けることが困難になる。すなわち、このように構成すると、スキミング用の磁気ヘッドの取付位置をより特定しやすくなる。したがって、ゲート機構にスキミング用の磁気ヘッドが取り付けられたことを確実に検出することが可能になり、スキミングをより効果的に防止することが可能になる。
【００１０】
本発明において、異物検出機構は、発光素子と発光素子からの光を受光する受光素子とを備える光学式の検出機構であり、発光素子は、２個の突出部のうちの一方の突出部の内部に配置され、受光素子は、２個の突出部のうちの他方の突出部の内部に配置されていることが好ましい。すなわち、異物検出機構は、いわゆる透過型の検出機構であることが好ましい。異物検出機構がいわゆる反射型の検出機構であると、スキミング用の磁気ヘッドが光を吸収する部材で覆われていたり、発光素子からスキミング用の磁気ヘッドに向かう光を遮るような部材がスキミング用の磁気ヘッドに取り付けられている場合に、凹部にスキミング用の磁気ヘッドが取り付けられたことを検出することは困難になるが、このように構成すると、スキミング用の磁気ヘッドが光を吸収する部材で覆われていたり、発光素子からスキミング用の磁気ヘッドに向かう光を遮るような部材がスキミング用の磁気ヘッドに取り付けられている場合であっても、凹部にスキミング用の磁気ヘッドが取り付けられたことを検出することが可能になる。すなわち、異物検出機構の検出精度を高めることが可能になる。
【００１１】
本発明において、突出部は、不透明な材料で形成されていることが好ましい。このように構成すると、犯罪者はゲート機構の外部から異物検出機構を目視で確認することができない。したがって、犯罪者が異物検出機構を破壊するのを防止しやすくなる。
【００１２】
本発明において、ゲート機構は、凹部の側面を光らせるための発光機構を備えることが好ましい。２個の突出部の間に凹部が形成される場合、ユーザがカードを抜き取る際の、カードの抜取り方向端側は凹部の中に配置されるが、このように構成すると、カードの抜取り時に、発光機構によって凹部の側面を光らせることで、ユーザは、ゲート機構のどの箇所にカードがあるのかを容易に把握することが可能になる。
【００１３】
本発明において、たとえば、ゲート機構は、挿入口を閉鎖するためのシャッタ機構を備え、異物検出機構で異物が検出されるとシャッタ機構が挿入口を閉鎖する。この場合には、ユーザが挿入口にカードを挿入するのを防止することで、スキミングを防止することができる。
【発明の効果】
【００１４】
以上のように、本発明のカードリーダでは、スキミングを効果的に防止することが可能になる。
【図面の簡単な説明】
【００１５】
【図１】本発明の実施の形態にかかるカードリーダの斜視図である。
【図２】図１に示すカードリーダの概略構成を説明するための平面図である。
【図３】図１に示すゲート機構の構成を説明するための正面図である。
【図４】図３に示すカード検出機構の構成および動作を説明するための正面図である。
【図５】図３に示すシャッタ機構の構成および動作を説明するための正面図である。
【図６】図３に示す異物検出機構の構成を説明するための正面図である。
【図７】図３に示す凹部の側面を光らせるための発光機構の構成を説明するための正面図である。
【図８】図７に示す発光機構の構成を説明するための平面図である。
【図９】図７に示す発光機構の構成を説明するための図であり、（Ａ）は側面図、（Ｂ）は（Ａ）のＥ部の拡大図、（Ｃ）は（Ａ）のＦ部の拡大図である。
【発明を実施するための形態】
【００１６】
以下、図面を参照しながら、本発明の実施の形態を説明する。
【００１７】
（カードリーダの概略構成）
図１は、本発明の実施の形態にかかるカードリーダ１の斜視図である。図２は、図１に示すカードリーダ１の概略構成を説明するための平面図である。
【００１８】
本形態のカードリーダ１は、カード２に記録された磁気データの読取および／またはカード２への磁気データの記録を行うための装置であり、たとえば、ＡＴＭ（Ａｕｔｏｍａｔｅ  Ｔｅｌｌｅｒ  Ｍａｃｈｉｎｅ）等の上位装置に搭載されて使用される。このカードリーダ１の内部には、カード２が搬送されるカード搬送路が形成されている。また、カードリーダ１は、図１、図２に示すように、磁気データの読取および／または磁気データの記録を行う磁気ヘッド３と、カード２の取込および排出を行うための搬送ローラ４等を有するカード搬送機構と、カード２が挿入および排出される挿入口５が形成されたゲート機構６と、カード搬送路を閉鎖するためのシャッタ部材７とを備えている。
【００１９】
本形態では、図１等に示すＸ方向にカード２が搬送される。すなわち、Ｘ方向は、カード２の搬送方向（通過方向）である。また、本形態では、Ｘ１方向にカード２が挿入され、Ｘ２方向にカード２が抜き取られる。すなわち、Ｘ１方向は、カード２の挿入方向であり、Ｘ２方向は、カード２の抜取り方向である。また、Ｘ方向に略直交する図１のＺ方向は、カード２の厚さ方向であり、Ｘ方向とＺ方向とに略直交する図１のＹ方向は、カード２の幅方向（短手幅方向）である。なお、以下の説明では、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００２０】
カード２は、たとえば、厚さが０．７〜０．８ｍｍ程度の矩形状の塩化ビニール製のカードである。このカード２には、磁気データが記録される磁気ストライプが形成されている。すなわち、本形態のカード２は、磁気カードである。なお、カード２には、ＩＣチップが固定されても良いし、通信用のアンテナが内蔵されても良い。すなわち、カード２は、磁気ストライプ付きの接触式ＩＣカードであっても良いし、磁気ストライプ付きの非接触式ＩＣカードであっても良い。また、カード２は、厚さが０．１８〜０．３６ｍｍ程度のＰＥＴ（ポリエチレンテレフタレート）カードであっても良いし、所定の厚さの紙カード等であっても良い。
【００２１】
磁気ヘッド３は、カードリーダ１の本体部８の内部に配置されている。この磁気ヘッド３は、カード２に形成される磁気ストライプに接触可能な位置に配置されている。カード搬送機構は、搬送ローラ４の他に、搬送ローラ４に対向配置されるとともに搬送ローラ４に向かって付勢されるパッドローラ、搬送ローラ４を駆動するモータおよびモータの動力を伝達する歯車等を備えている。搬送ローラ４およびパッドローラは、本体部８の内部に配置されている。ゲート機構６は、本体部８の前端面に固定されており、カードリーダ１の前端に配置されている。ゲート機構６の詳細な構成については、後述する。
【００２２】
シャッタ部材７は、本体部８の前端側に配置されている。このシャッタ部材７には、ソレノイド等の駆動源が連結されている。本形態のシャッタ部材７は、前後方向から見たときに、カード搬送路の全域を閉鎖することが可能となるように構成されている。
【００２３】
（ゲート機構の構成）
図３は、図１に示すゲート機構６の構成を説明するための正面図である。図４は、図３に示すカード検出機構１４の構成および動作を説明するための正面図である。図５は、図３に示すシャッタ機構１５の構成および動作を説明するための正面図である。図６は、図３に示す異物検出機構１７の構成を説明するための正面図である。図７は、図３に示す凹部１１ａの側面を光らせるための発光機構１８の構成を説明するための正面図である。図８は、図７に示す発光機構１８の構成を説明するための平面図である。図９は、図７に示す発光機構１８の構成を説明するための図であり、（Ａ）は側面図、（Ｂ）は（Ａ）のＥ部の拡大図、（Ｃ）は（Ａ）のＦ部の拡大図である。
【００２４】
ゲート機構６は、図１に示すように、全体として略半円柱形状に形成されている。すなわち、ゲート機構６の外形は、手前方向に向かって膨らむ略半円柱形状に形成されている。より具体的には、ゲート機構６のハウジング１１の外形は、手前方向に向かって膨らむ略半円柱形状に形成されている。
【００２５】
ハウジング１１には、奥方向に向かって切り欠かれた切欠部１１ａが形成されている。本形態の切欠部１１ａは、左右方向におけるハウジング１１の中間位置が奥方向に向かって窪むように形成された凹部である。したがって、以下では、切欠部１１ａを「凹部１１ａ」とする。
【００２６】
上述のように、ハウジング１１には、奥方向に向かって窪む凹部１１ａが形成されている。すなわち、ハウジング１１には、凹部１１ａの奥端部から手前方向に向かって突出する２個の突出部１１ｂ、１１ｃが左右方向に間隔をあけた状態で形成されており、凹部１１ａは、２個の突出部１１ｂ、１１ｃに挟まれるように、２個の突出部１１ｂ、１１ｃの間に形成されている。また、ハウジング１１には、前後方向に貫通するように、挿入口５が形成されている。
【００２７】
凹部１１ａは、図２に示すように、上下方向から見たときの形状が略Ｕ形状となるように形成されている。具体的には、凹部１１ａは、上下方向から見たときに、その前端側が開口する略Ｕ形状となるように形成されている。また、凹部１１ａの幅（左右方向の幅）は、カードリーダ１のユーザの指が入る広さとなっている。また、凹部１１ａは、図２に示すように、左右方向において、磁気ヘッド３の配置位置と略同じ位置に形成されている。すなわち、凹部１１ａは、左右方向において、カードリーダ１に挿入されるカード２の磁気ストライプの位置と略同じ位置に形成されており、上下方向から見たときに、カードリーダ１に挿入されるカード２の磁気ストライプは凹部１１ａを通過する。
【００２８】
突出部１１ｂは、凹部１１ａの左側に形成されている。突出部１１ｃは、凹部１１ａの右側に形成されている。突出部１１ｂの左右方向の幅は、突出部１１ｃの左右方向の幅よりも広くなっている。また、上述のように、凹部１１ａは、左右方向において、磁気ヘッド３の配置位置と略同じ位置に形成されており、突出部１１ｂ、１１ｃは、左右方向において、磁気ヘッド３の配置位置と異なる位置に形成されている。
【００２９】
ハウジング１１は、不透明な材料で形成されている。たとえば、ハウジング１１は、不透明な樹脂材料で形成されている。また、ハウジング１１の凹部１１ａが形成された部分は開口している。この開口部には、半透明な材料で形成された半透明部材１２が固定されており、この開口部は半透明部材１２で塞がれている。すなわち、半透明部材１２によって凹部１１ａの側面が構成されている。半透明部材１２は、たとえば、半透明な樹脂材料で形成されている。
【００３０】
図２、図３に示すように、ゲート機構６は、カード搬送機構によってカード２の前端側が所定の位置まで排出されたことを検出するためのカード検出機構１４と、カード２の排出時にカード２の前端側が所定の位置まで排出されていない場合にカード２の抜取りを阻止するシャッタ機構１５と、シャッタ機構１５の状態を検出するためのシャッタ検出機構１６と、凹部１１ａに異物が取り付けられたことを検出するための異物検出機構１７とを備えている。また、ゲート機構６は、図７に示すように、凹部１１ａの側面を光らせるための発光機構１８を備えている。
【００３１】
カード検出機構１４は、カード２に接触可能なレバー部材２０と、レバー部材２０がカード２に接触しているか否かを検出するセンサ２１とを備えている。このカード検出機構１４は、突出部１１ｂの内部に配置されている。センサ２１は、発光素子と受光素子とを有する光学式のセンサである。レバー部材２０は、カード２の左端に接触するカード接触部２０ａと、センサ２１の発光素子と受光素子との間を遮る遮光部２０ｂとを備え、前後方向から見たときの形状が略Ｌ形状となるように形成されている。このレバー部材２０は、所定の回動軸を中心に回動可能となっており、カード接触部２０ａは、挿入口５に対して進退可能となっている。
【００３２】
図４（Ａ）に示すように、カード接触部２０ａにカード２が接触していないときには、カード接触部２０ａは挿入口５の中にあり、遮光部２０ｂはセンサ２１の発光素子と受光素子との間を遮っている。一方、カード２の左端がカード接触部２０ａに接触すると、図４（Ｂ）に示すように、レバー部材２０が回動して、カード接触部２０ａは挿入口５から退避し、遮光部２０ｂはセンサ２１の発光素子と受光素子との間から外れる。センサ２１の発光素子と受光素子との間から遮光部２０ｂが外れると、カード検出機構１４によって、カード２が検出される。
【００３３】
本形態のカード検出機構１４は、カード２の排出時に、図２に示すように、凹部１１ａにおいて、カードリーダ１のユーザがカードリーダ１からカード２を抜き取ることが可能な位置までカード搬送機構によってカード２が排出されたことを検出する。具体的には、カード検出機構１４は、ユーザが親指や人差指等の指を凹部１１ａに差し込み、差し込んだ指の間にカード２の前端側を挟んでカードリーダ１からカード２を抜き取ることが可能な位置までカード搬送機構によってカード２の前端側が排出されたことを検出する。たとえば、カード検出機構１４は、図２に示すように、カード２の前端が凹部１１ａの奥端部から距離Ｄ１、排出されたことを検出する。
【００３４】
なお、本形態では、カード搬送機構によるカード２の排出が完了したときには、カード２の奥端側は、搬送ローラ４と搬送ローラ４に対向配置されるパッドローラとの間に挟まれている（図２参照）。また、本形態では、カード搬送機構によってカード２が正常に排出されるときには、設計上、カード検出機構１４でカード２の前端が検出された後にさらに距離Ｄ２、カード搬送機構によってカード２が排出されて停止する。なお、本形態のカード検出機構１４は、カードリーダ１にカード２が挿入されたことを検出する機能も果たしている。
【００３５】
シャッタ機構１５は、カード検出機構１４よりも手前側に配置され挿入口５を開閉するシャッタ部材２２と、シャッタ部材２２を駆動するソレノイド２３とを備えている。このシャッタ機構１５は、突出部１１ｂの内部に配置されている。シャッタ部材２２は、挿入口５を閉鎖するための閉鎖部２２ａを備えている。閉鎖部２２ａは、上側に向かって立ち上がるように形成されており、挿入口５の左端側の一部を閉鎖する。また、シャッタ部材２２は、所定の回動軸を中心に回動可能となっており、閉鎖部２２ａは、挿入口５に対して進退可能となっている。ソレノイド２３は、挿入口５よりも下側に配置されており、シャッタ部材２２に連結されている。
【００３６】
図５（Ａ）に示すように、シャッタ部材２２が挿入口５を開放しているときには、ソレノイド２３のプランジャは突出しており、閉鎖部２２ａは挿入口５の下方に退避している。この状態で、ソレノイド２３のプランジャが引っ込むと、図５（Ｂ）に示すように、シャッタ部材２２は図５の反時計方向に回動し、閉鎖部２２ａが上方向に移動して、挿入口５を閉鎖する。
【００３７】
本形態では、カード２の取込時に、ユーザによって挿入されたカード２が本体部８内に取り込まれると、シャッタ部材２２が挿入口５を閉鎖する。また、カード２の排出時に、カード２が抜取り可能位置まで排出されると、シャッタ部材２２が挿入口５を開放して、カードリーダ１からのカード２の抜取りが可能になる。一方、カード２の排出時に、カード２が抜取り可能位置まで排出されないと、引き続き、シャッタ部材２２が挿入口５を閉鎖して、カードリーダ１からのカード２の抜取りが阻止される。
【００３８】
シャッタ検出機構１６は、発光素子と受光素子とを有する光学式のセンサである。このシャッタ検出機構１６は、突出部１１ｂの内部に配置されている。また、シャッタ検出機構１６は、挿入口５よりも上側に配置されている。本形態では、シャッタ部材２２が挿入口５を閉鎖しているときに、図５（Ｂ）に示すように、閉鎖部２２ａの上端側がシャッタ検出機構１６の発光素子と受光素子との間を遮る。すなわち、本形態では、シャッタ検出機構１６は、閉鎖部２２ａが挿入口５を閉鎖していることを検出する。
【００３９】
異物検出機構１７は、発光素子２４と、発光素子２４からの光を受光する受光素子２５とを備える光学式の検出機構である。また、異物検出機構１７は、発光素子２４から受光素子２５へ向かう光が遮られることで異物を検出する透過型の検出機構である。この異物検出機構１７は、発光素子２４が射出する光の方向を変えるミラー２６を備えている。発光素子２４は、たとえば、ＬＥＤ（Ｌｉｇｈｔ  Ｅｍｉｔｔｉｎｇ  Ｄｉｏｄｅ）であり、受光素子２５は、たとえば、フォトトランジスタである。
【００４０】
発光素子２４は、突出部１１ｂの内部に配置されている。また、発光素子２４は、シャッタ部材２２よりも手前側に配置されている。さらに、発光素子２４は、右方向に向かって光を射出するように配置されている。具体的には、発光素子２４は、凹部１１ａを通過する光を射出するように配置されている。
【００４１】
受光素子２５およびミラー２６は、突出部１１ｃの内部に配置されている。受光素子２５は、その受光面が手前側を向くように配置されている。ミラー２６は、受光素子２５の手前側に配置されており、発光素子２４から射出された右方向に向かう光の方向を奥方向へ変える。
【００４２】
本形態では、凹部１１ａに異物が取り付けられると、発光素子２４から受光素子２５へ向かう光がこの異物によって遮られるため、異物検出機構１７によって、異物が取り付けられたことが検出される。たとえば、犯罪者がカード２の磁気データを不正に取得するためのスキミング用の磁気ヘッドを凹部１１ａに取り付けた場合には、異物検出機構１７によって、スキミング用の磁気ヘッドが取り付けられたことが検出される。
【００４３】
発光機構１８は、複数の光源２７と、光源２７から射出された光を拡散させるプリズム２８とを備えている。光源２７は、たとえば、ＬＥＤであり、基板２９に実装されている。複数の光源２７は、図８に示すように、凹部１１ａの奥端側の側面に沿って略円弧状に配置されている。また、複数の光源２７および基板２９は、挿入口５の上側および下側の両側に配置されている。プリズム２８は、図８に示すように、上下方向から見たときの形状が略円弧状になるように形成されており、複数の光源２７を覆うように配置されている。
【００４４】
本形態では、光源２７から射出された光は、プリズム２８によって拡散されて、半透明部材１２を透過する。そのため、光源２７から光が射出されると凹部１１ａの側面が光る。
【００４５】
（カードリーダの概略動作）
以上のように構成されたカードリーダ１は、スキミングを防止するために以下のように動作する。また、カードリーダ１は、犯罪者がカードリーダ１内部からのカード２の排出を妨害する何らかの仕掛けをして、カードリーダ１内部でカード２を詰まらせた後にこの詰まったカード２を不正に取得するいわゆるフィッシングを防止するために以下のように動作する。
【００４６】
まず、フィッシングを防止するためのカードリーダ１の概略動作について説明する。カードリーダ１の内部に取り込まれたカード２がカード搬送機構によって排出されたときに、カード検出機構１４がカード２の前端側を検出していない場合には、カード２の取込後に挿入口５を閉鎖したシャッタ部材２２は、引き続き、挿入口５を閉鎖する。すなわち、カード２の排出時に、カード検出機構１４がカード２の前端側を検出していない場合には、フィッシングを行うための仕掛けがカードリーダ１に取り付けられたと判断して、犯罪者がカード２を抜き取ることができないように、シャッタ部材２２が引き続き、挿入口５を閉鎖する。
【００４７】
また、カード２の排出時に、カード検出機構１４がカード２の前端側を検出していない場合には、カードリーダ１は、異常が発生していることを上位装置に通知する。この通知を受けた上位装置は、たとえば、上位装置のディスプレイに異常が発生している旨を表示する、ブザーを鳴らす、および／または、光源２７を点滅させる等の所定の動作を行って、ユーザに異常が発生していることを知らせる。
【００４８】
なお、カードリーダ１にカード２が取り込まれておらず、カードリーダ１でカード２の取引が行われていないときには、ソレノイド２３は、定期的にシャッタ部材２２を駆動して、挿入口５の開閉動作を行う。この開閉動作の際に、シャッタ検出機構１６で閉鎖部２２ａが検出されない場合には、犯罪者によって閉鎖部２２ａが破壊され、閉鎖部２２ａで挿入口５を閉鎖できなくなっている状況が発生していると判断して、カードリーダ１は、異常が発生していることを上位装置に通知する。この通知を受けた上位装置は、以後のカード２の取込を中止する。たとえば、シャッタ部材７でカード搬送路を閉鎖したり、カード搬送機構によるカード２の搬送ができないようにする。
【００４９】
次に、スキミングを防止するためのカードリーダ１の概略動作について説明する。カード２の取引が行われていないときには、発光素子２４は光を射出しており、凹部１１ａにスキミング用の磁気ヘッド等が取り付けられたか否かが監視されている。この監視中に、発光素子２４から受光素子２５へ向かう光が遮られると、凹部１１ａにスキミング用の磁気ヘッド等が取り付けられたと判断して、ユーザがカード２を挿入することができないようにシャッタ部材２２で挿入口５を閉鎖する。あるいは、シャッタ部材７でカード搬送路を閉鎖する。また、この場合には、カードリーダ１は、異常が発生していることを上位装置に通知する。
【００５０】
なお、発光素子２４がＬＥＤであれば、カード２の取引が行われていないときに、発光素子２４を任意の間隔でパルス点灯させることが好ましい。この場合には、発光素子２４に定格値以上の電流を流すことが可能になるため、発光素子２４から射出される光量を増やすことができる。したがって、受光素子２５におけるＳＮ比（ｓｉｇｎａｌ−ｔｏ−ｎｏｉｓｅ  ｒａｔｉｏ）を大きくすることが可能になる。
【００５１】
また、カード２の取引が行われていないときに、ＬＥＤである発光素子２４をパルス点灯させる場合には、発光素子２４から光が射出されているときの受光素子２５の出力値と、発光素子２４から光が射出されていないときの受光素子２５の出力値との差に基づいて、異物検出機構１７で異物が検出されたか否かを判断することが好ましい。たとえば、発光素子２４から光が射出されているときの受光素子２５の出力値と、発光素子２４から光が射出されていないときの受光素子２５の出力値との差と、所定の閾値とを比較して、出力値の差が閾値以下になった場合に、異物検出機構１７で異物が検出されたと判断することが好ましい。この場合には、受光素子２５に入射する外部光の影響を抑制することができるため、凹部１１ａにスキミング用の磁気ヘッド等が取り付けられたことをより適切に検出することが可能になる。
【００５２】
（本形態の主な効果）
以上説明したように、本形態では、ハウジング１１の突出部１１ｂ、１１ｃの間に、奥方向に向かって窪む凹部１１ａが形成されており、この凹部１１ａは、左右方向において、磁気ヘッド３の配置位置と略同じ位置に形成されている。また、本形態では、ハウジング１１の外形は、手前方向に向かって膨らむ略半円柱形状に形成されている。そのため、犯罪者は、凹部１１ａ以外の箇所にスキミング用の磁気ヘッドを取り付けることが困難である。すなわち、本形態では、スキミング用の磁気ヘッドがゲート機構６に取り付けられたとしても、その取付位置を特定しやすくなる。
【００５３】
また、本形態では、ゲート機構６は、凹部１１ａに異物が取り付けられたことを検出するための異物検出機構１７を備えているため、スキミング用の磁気ヘッドを取り付けやすい凹部１１ａにこの磁気ヘッドが取り付けられると、異物検出機構１７によって、この磁気ヘッドが検出される。このように、本形態では、スキミング用の磁気ヘッドの取付位置が特定しやすくなり、かつ、特定された取付位置にスキミング用の磁気ヘッドが取り付けられると、この磁気ヘッドが異物検出機構１７で検出される。したがって、ゲート機構６にスキミング用の磁気ヘッドが取り付けられたことを確実に検出することが可能になる。その結果、本形態では、ゲート機構６にスキミング用の磁気ヘッドが取り付けられた際に、シャッタ部材２２で挿入口５を閉鎖する等の所定の措置を行うことで、スキミングを効果的に防止することが可能になる。
【００５４】
本形態では、異物検出機構１７は、透過型の検出機構であり、発光素子２４は突出部１１ｂの内部に配置され、受光素子２５は突出部１１ｃの内部に配置されている。そのため、スキミング用の磁気ヘッドが光を吸収する部材で覆われていたり、発光素子２４からスキミング用の磁気ヘッドに向かう光を遮るような部材がスキミング用の磁気ヘッドに取り付けられている場合であっても、凹部１１ａにスキミング用の磁気ヘッドが取り付けられたことを検出することが可能になる。したがって、本形態では、異物検出機構１７の検出精度を高めることが可能になる。
【００５５】
本形態では、異物検出機構１７の発光素子２４は突出部１１ｂの内部に配置され、受光素子２５は突出部１１ｃの内部に配置されている。そのため、本形態では、犯罪者が異物検出機構１７を破壊するのを防止しやすくなる。特に本形態では、ハウジング１１は、不透明な材料で形成されているため、犯罪者はゲート機構６の外部から異物検出機構１７を目視で確認することができない。したがって、本形態では、犯罪者が異物検出機構１７を破壊するのをより防止しやすくなる。
【００５６】
本形態では、光源２７から光が射出されると凹部１１ａの側面が光る。そのため、たとえば、カード２の排出時に凹部１１ａの側面を点滅させれば、排出されたカード２の前端部分が凹部１１ａで停止しても、ユーザは、カード２がどこに排出されたのかを容易に把握することができる。
【００５７】
（他の実施の形態）
上述した形態および変形例は、本発明の好適な形態の一例ではあるが、これに限定されるものではなく本発明の要旨を変更しない範囲において種々変形実施が可能である。
【００５８】
上述した形態では、異物検出機構１７は、発光素子２４と受光素子２５とを備える透過型の検出機構である。この他にもたとえば、異物検出機構１７は、発光素子と受光素子とを備える反射型の検出機構であっても良い。この場合には、異物検出機構１７を構成する発光素子および受光素子は、たとえば、突出部１１ｂの内部に配置される。また、異物検出機構１７は、凹部１１ａに取り付けられる異物に接触可能な接点レバーと、この接点レバーの動きに応じてオンオフする接点とを備える機械式の検出機構であっても良いし、凹部１１ａに取り付けられる異物に接触可能な接点を備える機械式の検出機構であっても良い。さらに、異物検出機構１７は、超音波センサであっても良い。
【００５９】
上述した形態では、切欠部１１ａは、奥方向に向かって窪むように形成された凹部であり、ハウジング１１には、凹部１１ａの奥端部から手前方向に向かって突出する２個の突出部１１ｂ、１１ｃが形成されている。この他にもたとえば、ハウジング１１に、１個の突出部が形成されても良い。すなわち、ハウジング１１は、上下方向から見たときの形状が略Ｌ形状または略Ｔ形状となるように形成されても良い。たとえば、ハウジング１１に、突出部１１ｂが形成されるとともに突出部１１ｃが形成されなくても良い。この場合には、ハウジング１１の、突出部が形成されていない部分が切欠部となり、この切欠部の少なくとも一部は、左右方向において、磁気ヘッド３の配置位置と略同じ位置に形成される。なお、ハウジング１１に３個以上の突出部が形成されても良い。
【００６０】
上述した形態では、ハウジング１１の外形は、手前方向に向かって膨らむ略半円柱形状に形成されている。この他にもたとえば、ハウジング１１の外形は、略直方体状に形成されても良い。
【００６１】
上述した形態では、凹部１１ａは、上下方向から見たときの形状が略Ｕ形状となるように形成されているが、凹部１１ａは、上下方向から見たときの形状が略矩形状等の多角形状となるように形成されても良い。また、上述した形態では、ゲート機構６は、カード検出機構１４、シャッタ機構１５および発光機構１８を備えているが、ゲート機構６は、カード検出機構１４、シャッタ機構１５および／または発光機構１８を備えていなくても良い。
【００６２】
上述した形態では、カードリーダ１は、カード搬送機構を備えるカード搬送式のカードリーダであるが、本発明の構成が適用されるカードリーダは、ユーザが手動でカード２を移動させながら、カード２に記録された磁気データの読取等を行う手動式のカードリーダであっても良い。たとえば、本発明の構成が適用されるカードリーダは、カードリーダ内部にカードを差し込む際、あるいは、カードリーダからカードを引き抜く際に磁気データの読取や記録を行ういわゆるディップ式のカードリーダであっても良い。
【符号の説明】
【００６３】
１  カードリーダ
２  カード
３  磁気ヘッド
５  挿入口
６  ゲート機構
１１ａ  凹部（切欠部）
１１ｂ、１１ｃ  突出部
１５  シャッタ機構
１７  異物検出機構
１８  発光機構
２４  発光素子
２５  受光素子
Ｘ１  カードの挿入方向
Ｘ２  カードの抜取り方向
Ｙ  カードの幅方向
【図１】
0005385812.tif 000002
【図２】
0005385812.tif 000003
【図３】
0005385812.tif 000004
【図４】
0005385812.tif 000005
【図５】
0005385812.tif 000006
【図６】
0005385812.tif 000007
【図７】
0005385812.tif 000008
【図８】
0005385812.tif 000009
【図９】
0005385812.tif 000010